(57)【要約】      （修正有）【課題】思考の流れを妨げずに使える筆記補助具を提供する。【解決手段】思考の流れを止めずに、直ちに筆記出来るように、鉛筆３と消しゴム４とメモ用紙５と用紙のホルダー６と滓のストッカー７を収めた、筆記台を兼ねたチャンネル１，２を設け、２には滓ストッカー７のおさまる受け鞘がもうけてある。ストッカー７には下部に、滓容器が差し込まれており、その内部には粘着紙が貼り付けてある。また滓ストッカー受け部のとなりには鉛筆３や棒状消しゴム４のホルダーがタテに平行に数本、接着されており、それぞれは腹を割かれて鉛筆のような棒状物をいれれば、抱きしめる構造になっている、鉛筆や棒状消しゴムにはそれぞれ、上部は粘着テ−プなど巻いて太径部（径で０，５ほど太い）をもうけ、挿入時の止めにする。【選択図】図１
0003156426.tif 000002
【実用新案登録請求の範囲】
【請求項１】
弾性円筒物の胴を縦に割いてＣ型断面とし，径の弾性を利用して鉛筆のような棒状筆記具や棒状消しゴムを入れやすく抜けにくくした保持装置を具備した筆記補助具
【請求項２】
Ｕ字がた断面の細長い引き出し型の消しゴム滓の容器を内蔵した，滓ストッカ−を具備した筆記補助具
【請求項３】
以上の考案を組合せ，鉛筆とメモ用紙と消しゴムとゴム滓のストッカ−を偏平角型のケ−スに収めた筆記補助具
【考案の詳細な説明】
【考案の詳細な説明】
【技術分野】
【０００１】  本発明は俳句，川柳などの吟行会や日常生活でのアイデア，買い物メモなどに使う筆記補助具に係わるものである。
【背景技術】
【０００２】  従来，手帳に細身の鉛筆など，セットにしたものがあったが，思考の流れを止めず，ワンタッチでメモするには，甚だ不便であった。手帳を抑えながら開いて書くのは厄介，鉛筆の芯が折れても代わりがない，消しゴムがない，書き捨てが出来ない，濡れ手では持てない，消しゴムの滓の処理が困る，書きおえた紙が風で飛ぶなど多くの不都合があった。
【考案が解決しようとする課題】
【０００３】  これら欠点を除き何時でも何処でもアイデアが浮かんだら思考の流れを止めずに書き，また消し，消しゴム滓を一時ストック出来る筆記補助具を考案する事
【課題を解決するための手段】
【０００４】  思考の流れを止めずに，直ちに筆記出来るよう第１図に示すように，鉛筆３と消しゴム４とメモ用紙５と用紙のホルダ−６と滓のストッカ−７を収めた，筆記台を兼ねたチャンネル１，２を設け，２には滓ストッカ−７のおさまる受け鞘がもうけてある。ストッカ−７には下部に，第２図のように，滓容器９が差し込まれており，その内部には粘着紙１０が貼り付けてある。また滓ストッカ−受け部のとなりには鉛筆３や棒状消しゴム４のホルダ−１１がタテに平行に数本，接着されており，それぞれは腹を割かれて鉛筆のような棒状物をいれれば，抱きしめる構造になっている，鉛筆や棒状消しゴムにはそれぞれ，上部は粘着テ−プなど巻いて太径部（径で０，５ほど太い）をもうけ，挿入時の止めにする。
【考案を実施するための形態】
【０００５】  本案はこのような構造であるため，使用にあたってはメモ用紙５を用紙ホルダ−６の上にだしてメモリ−クリップ８で挟んだ状態で，ポケットやハンドバックから取り出し片方の手でこのセットを持ったら，他の手だけで，鉛筆，消しゴムを自在に出し入れして筆記が出来る。書いた用紙は用紙ホルダ−６に戻せば，飛び散ることなく安全に保管される。
次の用紙は，風があってもセットを握った手の親指とクリップ８で容易に筆記できる体制がつくれる。
筆記中の，鉛筆の交換、途中での消しゴム操作も楽にでき，またゴムの滓は抜き差し自在な滓のストッカ−を取り出し，下端に仕込んだ細長い引き出し型滓容器９に，Ｕ字溝にチリを掃き捨てるように収容し，粘着紙１０に付着させてそのままストッカ−に収め，さらに本体のカストッカ−受け部１２に格納する，また濡れた手でも使えるように握る部分は全面プラスチックシ−トでカバ−されている。
メモ用紙はＡ４半裁を更に３等分した巾７０×１４８，５を想定し，ケ−ス寸法はこれに適合した寸法になっている。
またストッカ−７の上部はメモリ−クリップ８のスペ−スに使われ，使用しないときは  ９０度回して差しなおし，本体の厚みのうちにクリップ８の握り部を収めることができる。なおケ−スの裏側には第４図のようにカ−ド入れを貼りつけ，コンビニのカ−ドや，診察券，切符などの携帯可能に成っているので，特にスイカや定期などは入れたままワンタッチで改札を通過出来る
【考案の効果】
【０００６】  思考の流れを止めず小型，軽量で安価な便利な筆記補助具ができる
【図面の簡単な説明】
【第１図】
本考案のメモリ−セットを筆記する上面側から見た姿体図
【第２図】
滓ストッカ−を取り出したときの姿図  図
【第３図】
本考案のメモリ−セットを裏面から見た姿図
【第４図】
滓ストッカ−中に収められている滓容器の姿図
【符号の説明】  １  チャンネル（上枠）
２  チャンネル（下枠）
３  鉛筆
４  消しゴム
５  メモ用紙
６  用紙ホルダ−
７  滓ストッカ−
８  メモリ−クリップ
９  滓容器
１０  粘着紙
１１  鉛筆，棒消しゴム等のホルダ−
１２  滓ストッカ−受け部（ケ−ス２の一部）
１３  カ−ド刺し
１４  透明ヒンジカバ−
0003156426.tif 000003
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
ジャンボストロ−のような鉛筆より細い内径の弾性体の胴をひらき，上部に鉛筆などが楽に入る中空のフランジ状コア−の胴にストロ−が抱きつくようにはめ，糊で固定すると，フランジの穴から入れた鉛筆は入れやすいが抜けにくい・このフランジ状コア−をケ−スに取り付けて，入れやすく，落ちにくくした筆記補助具
【請求項２】
鉛筆とメモ用紙とゴム滓のストッカ−を偏平角形のケ−スに収めたことを特徴とする請求項１に記載の筆記補助具
【手続補正２】
【補正対象書類名】明細書
【補正対象項目名】全文
【補正方法】変更
【補正の内容】
【考案の詳細な説明】
【技術分野】
【０００１】  本発明は俳句，川柳などの吟行会や日常生活でのアイデア，買い物メモなどに使う筆記補助具に係わるものである。
【背景技術】
【０００２】  従来，手帳に細身の鉛筆など，セットにしたものがあったが，思考の流れを止めず，ワンタッチでメモするには，甚だ不便であった。手帳を抑えながら開いて書くのは厄介，鉛筆の芯が折れても代わりがない，消しゴムがない，書き捨てが出来ない，濡れ手では持てない，消しゴムの滓の処理が困る，書きおえた紙が風で飛ぶなど多くの不都合があった。
【考案が解決しようとする課題】
【０００３】  これら欠点を除き何時でも何処でもアイデアが浮かんだら思考の流れを止めずに書き，また消し，消しゴム滓を一時ストック出来る筆記補助具を考案する事
【課題を解決するための手段】
【０００４】  本考案の中心は鉛筆や棒状消しゴムなどを入れやすく落ちにくく保持することにあるので，先ず図０１でその構造を説明する。図で０２は中空のつばつきブッシュ，これに腹を割いてＣ字型断面にしたジャンボストロ−０３を図のようにつばを残して巻き付け糊で固定すると，下つぼまりの鉛筆保持器が出来る。これをチャンネル型の板０１に等間隔に貼り付けた仕切り板０４の間につばを残して嵌め込み，０１と同じ幅の平板０５で蓋し，ストロ−の集合体を作る。このフランジがわ上面に，穴付き表装シ−ト（例えば製本テ−プ）０６を被せて鉛筆保持装置が完成する。これを図０２のチャンネル（下粋）０７に貼り付け，その左側空間はグリップ付きボ−ルペンやペ−パ−グリップなどを差すスペ−スとし，下部はゴム滓ストッカ−０９の差し込みスペ−スとし，仕切りを入れる。
ゴム滓ストッカ−０９は，図０２のように細い広告マッチの内ケ−スに把手を貼り付けたような構造で，偏平角形の本体ケ−スの横腹に角穴をあけて，抜き差し自由にする。図０３は本メモ・セットの一例を示す外観図で書き込み済メモをはさむビニ−ルカバ−０１０をつける，図０４は裏面からの外観図で，ゴムの織布ゴムバンド０１１とビニ−ルカバ−０１２でカ−ド差しを形成している一例を示す。このセットに使う鉛筆は頭部に粘着テ−プなどで太径部を設け，挿入時の止めにする必要がある。
【考案実施の形態】
【０００５】「使用に当たっては立ったままこのメモ・セットを片方の手で取り出したら，鉛筆，消しゴム，メモ用紙，台など探すことなく直ちにメモ出来，筆記中の鉛筆の交換，消しゴム操作，用紙の移動など全て他の手だけで出来る筆記体制が整う。紙が風でとぶ，鉛筆が折れる，消せないなどの不便が解消する。メモ用紙は市販のＡ６サイズメモ冊子を使えば図０４に示すカ−ド差しに冊子の台紙を差し込むだけで一体につかえる。ほか定期券，診察券，切符，領収書などの一時保管にも使える。またメモ済のメモはその場で図０３のピニ−ルカバ−に挟み込む事が出来る。
【考案の効果】
【０００６】思考の流れを止めず小型，軽量で安価な便利な筆記補助具ができる
【図面の簡単な説明】
【０００７】
【図１】鉛筆などの保持装置
【図２】メモ，セット内部の配置図
【図３】表面から見たメモ，セットの外観図
【図４】裏面から見たメモ，セットの外観図
【符号の説明】
【０００８】  ０１  ミニチャンネル
０２  つば付きブッシュ
０３  ジャンボストロ−
０４  仕切り板
０５  平ふた
０６  穴あき上面表装シ−ト
０７  チャンネル（下枠）
０８  チャンネル（上枠）
０９  ゴム滓ストッカ−
０１０  ビニ−ルカバ−
０１１  布織ゴムバンド
０１２  カ−ド差しビニガイド
【手続補正３】
【補正対象書類名】図面
【補正対象項目名】全図
【補正方法】変更
【補正の内容】
【図１】
0003156426.tif 000004
【図２】
0003156426.tif 000005
【図３】
0003156426.tif 000006
【図４】
0003156426.tif 000007
【手続補正書】
【提出日】平成21年9月18日(2009.9.18)
【手続補正１】
【補正対象書類名】実用新案登録請求の範囲
【補正対象項目名】全文
【補正方法】変更
【補正の内容】
【実用新案登録請求の範囲】
【請求項１】
ジャンボストロ−のような鉛筆より細い内径の弾性体の胴をひらき，上部に鉛筆などが楽に入る中空のフランジ状コア−の胴に弾性体の胴が巻きつくようにはめ，糊で固定すると，フランジ状コア−の穴から入れた鉛筆は入れやすいが抜けにくい，このフランジ状コア−をケ−スに取り付けて，入れやすく，落ちにくくした筆記補助具
【請求項２】
鉛筆とメモ用紙とゴム滓のストッカ−を偏平角形のケ−スに収めたことを特徴とする請求項１に記載の筆記補助具。
【手続補正２】
【補正対象書類名】明細書
【補正対象項目名】０００８
【補正方法】変更
【補正の内容】
【０００８】  ０１  ミニチャンネル  ０２  フランジ状コアー  ０３  ジャンボストロー  ０４  仕切り板  ０５  平ふた  ０６  穴あき上面表装シート  ０７  チャンネル（下枠）  ０８  チャンネル（上枠）  ０９  ゴム滓ストッカー０１０  ビニールカバー０１１  布織ゴムバンド０１２  カード差しビニガイド